(57)【要約】【課題】  天吊り式の電子機器が落下した場合であっても、電子機器の破損を確実に防止することができるエアバッグ装置、および当該エアバッグ装置を備えた電子機器、プロジェクタを提供すること。【解決手段】  プロジェクタ２００が落下を始めると、インフレータ１０１からキー部材が抜け、インフレータ１０１から発生したガスにより、エアバッグ１０６が膨張する。プロジェクタ２００が落下する場合、プロジェクタ２００の下面から落下するため、下面に設けられたエアバッグ１０６を先頭としてプロジェクタ２００は落下する。よって、プロジェクタ２００の落下点が硬質な床であったとしても、プロジェクタ２００の個体が直接床に当たることはなく、プロジェクタ２００の地面側の面を覆い隠す大きさの緩衝部材であるエアバッグ１０６が床に当たり、落下時の衝撃はエアバッグ１０６により吸収される。【選択図】      図１
2006349790.tif 000002
【特許請求の範囲】
【請求項１】
天井吊り下げ式の電子機器に装着して用いられるエアバッグ装置であって、
前記電子機器の地面側の面に設けられたエアバッグと、
前記エアバッグを膨張させるためのガスを発生させるインフレータと、
前記電子機器が落下していることを検出する落下検出部と、を備え、
前記エアバッグは、膨張時には、前記電子機器の地面側の面を覆い隠す大きさを有し、
前記インフレータは、前記電子機器が落下していることを前記落下検出部が検出すると、ガスを発生し、前記エアバッグを膨張させることを特徴とするエアバッグ装置。
【請求項２】
前記インフレータは、不活性ガスを充填したボンベを備え、前記ボンベによる不活性ガスを発生させることを特徴とする請求項１に記載のエアバッグ装置。
【請求項３】
前記落下検出部は、前記インフレータに挿入されたキー部材と、前記キー部材に接続された紐部材とから構成され、前記紐部材の他端部は、前記電子機器が設置された天井において、前記電子機器を支える天吊り器具の設置部以外の天井面に固定され、前記インフレータは、前記キー部材が引き抜かれると、ガスを発生することを特徴とする請求項１または２に記載のエアバッグ装置。
【請求項４】
前記インフレータから、前記キー部材を抜き取る際には、２００ｇ以上の引っ張り力が必要であることを特徴とする請求項３に記載のエアバッグ装置。
【請求項５】
さらに、前記キー部材が前記インフレータから抜けるのを防ぐためのロック機構を備え、前記ロック機構をオン状態にすると、前記キー部材はロックされることを特徴とする請求項３または４に記載のエアバッグ装置。
【請求項６】
さらに前記インフレータにガスを発生させるための駆動部を備え、
前記落下検出部は、前記電子機器が落下していることを電気的に検出する落下検出センサを有し、
前記落下検出部は、前記落下検出センサからの検出信号により、前記電子機器が落下していることを検出すると、前記駆動部により前記インフレータにガスを発生させることを特徴とする請求項１または２に記載のエアバッグ装置。
【請求項７】
前記膨張したエアバッグは、３秒以上の間、膨張した状態を維持することを特徴とする請求項１〜６のいずれか一項に記載のエアバッグ装置。
【請求項８】
前記エアバッグ装置の地面側の面は、柔軟な材質から構成され、前記電子機器の地面側の全ての辺を包み込んでいることを特徴とする請求項１〜７のいずれか一項に記載のエアバッグ装置。
【請求項９】
前記エアバッグ装置は、前記電子機器に着脱可能に設けられることを特徴とする請求項１〜８のいずれか一項に記載のエアバッグ装置。
【請求項１０】
前記電子機器は、光源部からの光を光変調素子により映像信号に応じて変調し、映像信号にて表される映像を投写するプロジェクタであって、前記エアバッグ装置は、前記プロジェクタの構成にあらかじめ含まれていることを特徴とする請求項１〜９のいずれか一項に記載のエアバッグ装置を含んだプロジェクタ。
【発明の詳細な説明】
【技術分野】
【０００１】
本発明は、天井吊り下げ式の電子機器に用いられるエアバッグ装置、および当該エアバッグ装置を備えた電子機器、プロジェクタに関する。
【背景技術】
【０００２】
室内空間を有効に活用するため、または、視覚や音響効果を高めるために、天井に設置される（以降、「天吊り」という）電子機器がある。このような電子機器は、例えば、多チャンネルのサラウンドシステムを構成するスピーカ装置や、壁面に設置されたスクリーンに映像を投写するプロジェクタなどに代表される。
これらの電子機器を天井に設置するためには、天井に電子機器を固定するための専用の器具が用いられることが多い。例えば、特許文献１および２には、プロジェクタを天井に簡便かつ確実に設置することを目的としたプロジェクタの天吊り装置が開示されている。
しかし、このような専用の天吊り装置で電子機器を天井に設置したとしても、地震などの不慮の事故が発生した場合、電子機器が落下してしまう可能性があった。
このため、万一、落下した場合であっても、破損を防ぐために電子機器自体の耐衝撃性を高めた電子機器が知られている。例えば、特許文献３のプロジェクタは、構成部材の剛性を高めることなどにより耐衝撃性を高めている。
【０００３】
【特許文献１】特開２０００−１２２１８０号公報
【特許文献２】特開２００２−３４４８４６号公報
【特許文献３】特開平８−１８６８３５号公報
【発明の開示】
【発明が解決しようとする課題】
【０００４】
しかしながら、いくら剛性を高めた電子機器であっても、コンクリートなどの硬質な床面に落下した場合は、落下の衝撃から電子機器の破損を防ぐことは困難であった。
また、剛性を高めたことにより外的な破損は免れたとしても、落下の衝撃は、電子機器の内部回路などの構成にも及んでいることから、電子機器の機能は損なわれている可能性が高かった。
このように、従来の天吊り式の電子機器では、落下した際に、電子機器の破損を防ぐことが困難であるという問題点を有していた。
【０００５】
上記課題を解決するために、本発明では、天吊り式の電子機器が落下した場合であっても、電子機器の破損を確実に防止することができるエアバッグ装置、および当該エアバッグ装置を備えた電子機器、プロジェクタを提供することを目的とする。
【課題を解決するための手段】
【０００６】
前記目的を達成するために、本発明のエアバッグ装置は、天井吊り下げ式の電子機器に装着して用いられるエアバッグ装置であって、電子機器の地面側の面に設けられたエアバッグと、エアバッグを膨張させるためのガスを発生させるインフレータと、電子機器が落下していることを検出する落下検出部と、を備え、エアバッグは、膨張時には、電子機器の地面側の面を覆い隠す大きさを有し、インフレータは、電子機器が落下していることを落下検出部が検出すると、ガスを発生し、エアバッグを膨張させることを特徴とする。
【０００７】
この構成によれば、インフレータは、電子機器が落下していることを落下検出部が検出すると、ガスを発生し、エアバッグを膨張させることから、電子機器が落下すると、エアバッグが膨張する。
さらに、電子機器が落下する場合、地面側の面から落下するため、地面側の面に設けられたエアバッグを先頭として電子機器は落下する。
よって、電子機器の落下点が硬質な床であったとしても、電子機器の個体が直接床に当たることはなく、電子機器の地面側の面を覆い隠す大きさの緩衝部材であるエアバッグが床に当たり、落下時の衝撃はエアバッグにより吸収される。
従って、本発明のエアバッグ装置によれば、天吊り式の電子機器が落下した場合であっても、電子機器の破損を確実に防止することができる。
【０００８】
本発明に係るエアバッグ装置によれば、インフレータは、不活性ガスを充填したボンベを備え、ボンベによる不活性ガスを発生させることが好ましい。
【０００９】
この構成によれば、インフレータは、不活性ガスを充填したボンベを備え、ボンベによる不活性ガスを発生させることから、エアバッグの膨張に用いられるガスは、電子機器内部の電子回路などの劣化を誘発することのない不活性ガスである。
従って、本発明のエアバッグ装置によれば、ガスが放散された場合であっても、電子機器のガスによる劣化を招くことはない。
【００１０】
本発明に係るエアバッグ装置によれば、落下検出部は、インフレータに挿入されたキー部材と、キー部材に接続された紐部材とから構成され、紐部材の他端部は、電子機器が設置された天井において、電子機器を支える天吊り器具の設置部以外の天井面に固定され、インフレータは、キー部材が引き抜かれると、ガスを発生することが好ましい。
【００１１】
この構成によれば、紐部材の他端部は、電子機器が設置された天井において、電子機器を支える天吊り器具の設置部以外の天井面に固定されることから、電子機器が落下する際に、天吊り器具の設置部以外の天井面に固定された紐部材は落下しないため、電子機器の落下に伴い、紐部材は、キー部材を引っ張り、インフレータから抜き取る。
さらに、インフレータは、キー部材が引き抜かれるとガスを発生することから、電子機器が落下していることを検出すると、エアバッグが膨張する。
天吊りされた電子機器が落下する要因としては、地震などの不慮の事故や、天吊り装置の取り付け不良や、長期間の設置による老朽化などが想定される。この中で、特に地震を想定した場合、停電が誘発されることが多いが、本構成は、電力を必要としない機械式の構成であるため、電力が供給されていなくても、エアバッグを作動させることができる。
従って、本発明のエアバッグ装置によれば、電力が供給されていなくても、落下時における電子機器の破損を確実に防止することができる。
【００１２】
本発明に係るエアバッグ装置によれば、インフレータから、キー部材を抜き取る際には、２００ｇ以上の引っ張り力が必要であることが好ましい。
【００１３】
この構成によれば、インフレータから、キー部材を抜き取る際には、２００ｇ以上の引っ張り力が必要であることから、紐部材に軽度の引っ張り力が掛かってもキー部材は抜けない。
よって、電子機器の設置時などに誤って紐部材に触れたり、軽く引っ張るようなこと、または、軽度の地震による振動が加わった場合であっても、エアバッグは作動しないが、数ｋｇの重量がある電子機器が落下する際には、２００ｇ以上の引っ張り力が掛かるため、エアバッグは作動する。
従って、本発明のエアバッグ装置によれば、誤動作を防ぐとともに、落下を確実に検出することができる。
【００１４】
本発明に係るエアバッグ装置によれば、さらに、キー部材がインフレータから抜けるのを防ぐためのロック機構を備え、ロック機構をオン状態にすると、キー部材はロックされることが好ましい。
【００１５】
この構成によれば、ロック機構をオン状態にすると、キー部材はロックされることから、電子機器の設置時などにおける、エアバッグの誤作動を防止することができる。
【００１６】
本発明に係るエアバッグ装置によれば、さらにインフレータにガスを発生させるための駆動部を備え、落下検出部は、電子機器が落下していることを電気的に検出する落下検出センサを有し、落下検出部は、落下検出センサからの検出信号により、電子機器が落下していることを検出すると、駆動部によりインフレータにガスを発生させることが好ましい。
【００１７】
この構成によれば、落下検出部は、落下検出センサからの検出信号により、電子機器が落下していることを検出すると、駆動部によりインフレータにガスを発生させることから、電子機器が落下すると、エアバッグが膨張する。
さらに、エアバッグは、膨張時には、電子機器の地面側の面を覆い隠す大きさを有していることから、電子機器は、膨張したエアバッグを先頭にして落下する。
よって、電子機器の落下点が硬質な床であったとしても、電子機器の個体が直接床に当たることはなく、電子機器の地面側の面を覆い隠す大きさの緩衝部材であるエアバッグが床に当たり、落下時の衝撃はエアバッグにより吸収される。
従って、本発明のエアバッグ装置によれば、天吊り式の電子機器が落下した場合であっても、電子機器の破損を確実に防止することができる。
【００１８】
本発明に係るエアバッグ装置によれば、膨張したエアバッグは、３秒以上の間、膨張した状態を維持することが好ましい。
【００１９】
天吊りの電子機器が設置される天井高さは、概ね３ｍ程度である。このような天井から電子機器が自由落下した場合、床面に到達するまでの時間は、約０．８秒間である。
この構成によれば、膨張したエアバッグは、３秒以上の間、膨張した状態を維持することから、床面に到達した後も２秒以上の間、膨張を継続する。
よって、エアバッグは落下時の衝撃を吸収した後も、電子機器を支えながら徐々に萎んで行くことから、電子機器がエアバッグを介して床面へ到達する際の衝撃も、確実に緩和することができる。
従って、本発明のエアバッグ装置によれば、天吊り式の電子機器が落下した場合であっても、電子機器の破損を確実に防止することができる。
【００２０】
本発明に係るエアバッグ装置によれば、エアバッグ装置の地面側の面は、柔軟な材質から構成され、電子機器の地面側の全ての辺を包み込んでいることが好ましい。
【００２１】
この構成によれば、エアバッグ装置の地面側の面は、柔軟な材質から構成され、電子機器の地面側の全ての辺を包み込んでいることから、エアバッグの不具合などにより、電子機器の落下時にエアバッグが十分に膨張せず、電子機器の地面側の面を覆い尽くせなかった場合であっても、エアバッグ装置の柔軟な材質部分から床に当たることとなる。
電子機器における底辺の辺の部分は、落下時に最初に床に当たる部位であるため、当該部位を柔軟な部材で包み込んでいることにより、電子機器の損傷は大幅に低減される。
従って、本発明のエアバッグ装置によれば、天吊り式の電子機器が落下した場合であっても、電子機器の破損を軽減することができる。
【００２２】
本発明に係るエアバッグ装置によれば、エアバッグ装置は、電子機器に着脱可能に設けられることが好ましい。
【００２３】
この構成によれば、エアバッグ装置は、電子機器に着脱可能に設けられることから、電子機器を天吊りする必要が発生した場合にエアバッグ装置を装着すれば良いので、合理的である。
天吊り用途が想定されるプロジェクタや、スピーカなどの電子機器は、使用者の嗜好により、天井に設置されることもあれば、テーブルや、床に設置されることも有る。このため、電子機器の設置態様に応じて、必要なときに必要な機能を追加したいという使用者の要望がある。
従って、本発明のエアバッグ装置によれば、必要とされる機能を合理的に実現することができる。
【００２４】
本発明に係るプロジェクタによれば、電子機器は、光源部からの光を光変調素子により映像信号に応じて変調し、映像信号にて表される映像を投写するプロジェクタであって、エアバッグ装置は、プロジェクタの構成にあらかじめ含まれていることが好ましい。
【００２５】
この構成によれば、エアバッグ装置は、プロジェクタの構成にあらかじめ含まれていることから、プロジェクタを天井に設置するだけで、エアバッグ装置の機能を得ることができる。
従って、本発明のプロジェクタによれば、エアバッグ装置の機能を簡便に得ることができるとともに、落下時のプロジェクタの損傷を防ぐことができる。
【発明を実施するための最良の形態】
【００２６】
以下、添付図面に基づいて、本発明の実施形態を詳細に説明する。
【００２７】
（実施形態１）
《エアバッグ装置の使用態様》
図１は、本発明の実施形態１におけるエアバッグ装置の使用態様を示す図である。ここでは、図１を用いて、エアバッグ装置１００の使用態様について説明する。
エアバッグ装置１００は、高さ約３ｍの天井ｔｅに設置されたプロジェクタ２００に装着されている。プロジェクタ２００は、内蔵するランプが放射した光を、赤色光、青色光、緑色光の光の３原色成分に分離し、色光ごとに各色光用の光変調素子である液晶ライトバルブ（いずれも図示せず）により映像信号に応じて変調し、再度合成したフルカラーの変調光を投写レンズ２０７により拡大して映像を投写する、いわゆる「液晶３板式プロジェクタ」である。
【００２８】
プロジェクタ２００は、天吊り器具としての天吊り金具２０１により天井ｔｅから吊り下げられた状態で固定されている。
エアバッグ装置１００は、インフレータ１０１と、インフレータ１０１に挿入されたキー部材（図示せず）から伸びている紐部材１０３と、エアバッグ１０６などから構成されている。紐部材１０３の一端は、天井ｔｅにおける天吊り金具２０１が設置された場所とは異なる部位に固定されている。
プロジェクタ２００の背面には、電力を供給するための電源ケーブルや、映像信号や音声信号を入力するための各種ケーブル（いずれも図示せず）が接続されている。プロジェクタ２００は、これらのケーブルから供給される、電力により動作し、映像信号により映像を投写する。
【００２９】
プロジェクタ２００は、赤外線によるリモコン（図示せず）により遠隔操作される。また、プロジェクタ２００に、無線ＬＡＮカードが装着されていた場合は、同様の無線ＬＡＮカードを装着したパーソナルコンピュータ（図示せず）からプロジェクタ２００を遠隔操作したり、プロジェクタ２００に映像信号を送信することも可能である。
プロジェクタ２００は、天吊り用途の他に、テーブルなどの机上に設置して使用することも可能である。この場合、プロジェクタ２００は、高所から落下する心配はないため、エアバッグ装置１００を装着せずに、図１において天井ｔｅと対向する面を下にして机上に設置される。天吊り時と、机上時とでは、プロジェクタ２００の設置方向が反転するため、プロジェクタ２００は、投写する映像の天地を反転するための画像処理機能を備えている。
【００３０】
《エアバッグ装置の構成》
図２は、天吊り状態におけるエアバッグ装置の主要部の断面図である。ここでは、図２を用いてエアバッグ装置１００の概略構成について説明する。
エアバッグ装置１００は、インフレータ１０１、キー部材１０２、紐部材１０３、導出管１０４、天井ネジ１０５、エアバッグ１０６、フタ１０７、ロックＳＷ１０８、ケース１１０、補強部材１１２、固定ネジ１１３などから構成されている。
インフレータ１０１は、エアバッグ１０６を膨らませるための不活性ガスを充填したボンベなどを含んで構成されている。
紐部材１０３とセットで落下検出部として機能するキー部材１０２は、初期状態でインフレータ１０１に挿入されている。プロジェクタ２００が落下し始めた場合、紐部材１０３に引っ張られたキー部材１０２が、インフレータ１０１から抜けることにより、落下していることが検出され、エアバッグが作動する。
紐部材１０３は、導出管１０４を介して一端がキー部材１０２に、他端が天井ネジ１０５により天井ｔｅに固定されている。紐部材１０３は、例えば、ポリアミド繊維などからなる合成繊維性の紐であり、プロジェクタ２００が落下し始めると、天井ネジ１０５を支点としてインフレータ１０１から、キー部材１０２を抜き取る。
【００３１】
導出管１０４は、例えば、表面の滑らかな合成樹脂性のパイプであり、プロジェクタ２００が落下したときの、紐部材１０３およびキー部材１０２の通路である。導出管１０４は、キー部材１０２のサイズよりも大きな口径を有し、滑らかな曲線により、インフレータ１０１と、天井ネジ１０５との間を接続する。
天井ネジ１０５は、天吊り金具２０１が取り付けられている部位とは、異なる天井ｔｅの部位に取り付けられている。天井ネジ１０５は、天井ｔｅの横材ｙｏや梁（図示せず）など、構造上の強度が高い部分に取り付けられている。
エアバッグ１０６は、インフレータ１０１と隣接し、折り畳んだ状態で収納されている。エアバッグ１０６は、例えば、シリコンコーティングがなされたナイロン系の合成繊維による布を材料としている。エアバッグ１０６の膨張時の大きさおよび形状は、プロジェクタ２００の地面側の面（以下、「下面」という）を覆い隠し、さらに衝撃を吸収するための十分な厚さとなるように設計されている。
フタ１０７は、ケース１１０に設けられた開口蓋であり、通常時は閉じているが、エアバッグ１０６の膨張に伴い開口する。
【００３２】
ロック機構としてのロックＳＷ１０８は、プロジェクタ２００を天井ｔｅに設置するときなど、エアバッグ１０６が作動しては困る場合に、エアバッグ１０６の作動を防止するためのスイッチである。具体的には、ロックＳＷ１０８がオン状態として押し込まれている場合、キー部材１０２が抜けないように機構的にロックが掛けられる。
ケース１１０は、エアバッグ装置１００の本体構成部材であり、例えば、柔軟性のある半硬質のポリウレタンフォームにより構成されている。ケース１１０は、プロジェクタ２００の下面の全ての辺を包み込んで形成され、肉厚の部分を中心にして内部に複数の空気層１１１が設けられている。
【００３３】
補強部材１１２は、プロジェクタ２００の外形形状に合わせて「コ」の字状、または「Ｌ」字状に加工されたステンレスなどの硬質な金属部材から構成されている。補強部材１１２は、ケース１１０と、インサート成型法などにより一体として形成されている。
固定ネジ１１３は、プロジェクタ２００へのエアバッグ装置１００の装着を強固にするための固定ネジである。複数の固定ネジ１１３は、ケース１１０を補強部材１１２を介して、プロジェクタ２００の本体に固定する。
エアバッグ装置１００は、ケース１１０、補強部材１１２、固定ネジ１１３などにより、プロジェクタ２００への装着および脱着が自在である。
【００３４】
続いて、プロジェクタ２００を天吊りする天吊り金具２０１の概略構成について説明する。
天吊り金具２０１は、天井プレート２０２、パイプ２０３、本体金具２０４、固定ハンドル２０６などから構成されている。
天井プレート２０２は、複数の固定ネジ２０５により、天井ｔｅに固定されている。固定ネジ２０５は、天井ｔｅの横材ｙｏや梁（図示せず）など、構造上の強度が高い部分に取り付けられている。
パイプ２０３は、天井プレート２０２と一体となっており、パイプの長さによりプロジェクタ２００の天井ｔｅからの設置高さを決めている。なお、パイプ２０３は、天井プレート２０２と別体となっていても良い。
本体金具２０４は、複数の固定ネジ２０５により、プロジェクタ２００の本体に固定されており、パイプ２０３を挿入し結合するための構造を有している。
固定ハンドル２０６は、パイプ２０３と、本体金具２０４との結合を強固なものとするとともに、固定ハンドル２０６を軸方向に回転させることにより、天井ｔｅに対するプロジェクタの設置角度を調整することが可能である。これにより、プロジェクタが投写する映像の投写方向を調整することができる。
【００３５】
図３は、インフレータ周辺部位の詳細図である。ここでは、図３を用いてインフレータ１０１周辺部位の構成について詳細に説明する。
インフレータ１０１は、ボンベ１１４、バルブ部１１５などから構成されている。
ボンベ１１４は、炭酸ガスや、窒素ガスなどの不活性ガスを高圧にして封入した小型のボンベである。ボンベ１１４から、ガスを発生させるには、封板１２１に穴を開ける必要がある。
バルブ部１１５は、穿孔部材１１６、バネ１１７、逆流防止弁１２３などから構成されている。
穿孔部材１１６は、防錆処理が施された炭素鋼などの硬質の金属部材により構成されている。穿孔部材１１６には、先端が尖った針状部１２０が、ボンベ１１４の封板１２１に相対するように設けられている。
針状部１２０の側面は、パッキン部材１２７が装着されており、封板１２１に穴が空いた際に発生するガスが、キー部材１０２側に漏れるのを防止している。
【００３６】
バネ１１７は、防錆処理が施されたピアノ線などの金属部材により構成されている。バネ１１７は、バルブ部１１５の内部に圧縮して設置されており、穿孔部材１１６の針状部１２０が、ボンベ１１４の封板１２１を突き刺す方向の力を発生している。
穿孔部材１１６の中ほどには、キー部材１０２の先端に設けられたボール状をしたボール部１１８が勘合している。このボール部１１８が、ストッパーとしての機能を果たしており、穿孔部材１１６が、ボンベ１１４の封板１２１に刺さるのを抑制している。
穿孔部材１１６のボール部１１８と勘合する部分には、小さな凸形状１１９が設けられている。この凸形状１１９により、キー部材１０２が抜ける際に、所定の荷重が必要となる。プロジェクタ２００の場合、所定の荷重は、プロジェクタ２００と、エアバッグ装置１００とを加えた重量の約１／１０以下に設定されている。
具体的には、プロジェクタ２００と、エアバッグ装置１００とを加えた重量が、約４ｋｇであった場合、所定の荷重は、２００〜４００ｇに設定される。
逆流防止弁１２３は、不活性ガスの流路１２２のエアバッグ１０６側に設けられており、エアバッグ１０６側から、ボンベ１１４側への不活性ガスの逆流を防止する。
【００３７】
紐部材１０３は、キー部材１０２のボール部１１８の他端に接続されている。落下時に、紐部材１０３に引っ張られてキー部材１０２が通過する導出部１０４の入り口１２６は、通過時にキー部材１０２が引っ掛からないように、なめらかな曲線を描いて大きく開口している。
ロックＳＷの端部１０８ｔは、ロックＳＷ１０８が押し込まれると、キー部材１０２の凸部１２５に勘合され、キー部材１０２を機構的にロックする。
【００３８】
《エアバッグ装置の作動態様》
図４は、エアバッグ装置の作動状態の一態様を示した図である。ここでは、図４を中心に、適宜、図１と図３を交えてエアバッグ装置１００の作動状態について説明する。
図４は、図１に示される状態で天吊り設置されていたプロジェクタ２００が、例えば、地震により、天吊り金具２０１の破損のため落下し始めたときの、エアバッグ装置１００を装着したプロジェクタ２００の落下開始直後の状態を示している。
【００３９】
図３において、プロジェクタ２００が落下を始めると、キー部材１０２は、一端が天井ｔｅに固定されている紐部材１０３により引っ張られる。このとき、引っ張り荷重が所定の荷重を超えると、キー部材１０２は、穿孔部材１１６の凸形状１１９を乗り越え、バルブ部１１５から抜ける。
キー部材１０２がバルブ部１１５から抜けると、ストッパーが外れた穿孔部材１１６は、開放されたバネ１１７の押し上げ力により針状部１２０を、ボンベ１１４の封板１２１に突き刺す。穿孔部材１１６は、度決め部１２８まで押し上げられる。度決め部１２８は、穿孔部材１１６を停止させるための停止面であり、穿孔部材１１６が封板１２１を破ることが可能な位置に設けられ、穿孔部材１１６のストッパーとして機能する。
これにより、ボンベ１１４の封板１２１に穴が空き、不活性ガスが放出されるとともに、流路１２２を通って、エアバッグ１０６に充填される。充填された不活性ガスは、逆流防止弁１２３の働きにより、逆流することなくエアバッグを膨張させてゆく。
【００４０】
図４に戻る。エアバッグ１０６が膨張を始めると、その圧力によりフタ１０７が開放しエアバッグ１０６は、プロジェクタ２００の地面側の面を覆い隠すように膨張する。ちなみに、プロジェクタ２００が落下を始めてから、図４の状態となるまでに要する時間は０．２秒以内である。
エアバッグ１０６の膨張時の大きさは、プロジェクタ２００の下面を覆い隠し、その形状は、プロジェクタ２００の下面に略均一で肉厚なクッション状となる。エアバッグ１０６の膨張時の厚さは、３０ｃｍ程度である。
膨張したエアバッグ１０６は、５秒間程度、膨張状態を維持すると、エアバッグの布部材の縫製部などから徐々に不活性ガスが抜けることにより、徐々に萎んで行く。
また、落下時に紐部材１０３により引っ張られて抜けたキー部材１０２は、導出管１０４を経由して、天井ｔｅから垂れ下がった状態となっている。
【００４１】
上述した通り、本実施形態によれば以下の効果が得られる。
（１）プロジェクタ２００が落下を始めると、インフレータ１０１からキー部材１０２が抜け、インフレータ１０１から発生したガスにより、エアバッグ１０６が膨張する。
さらに、プロジェクタ２００が落下する場合、プロジェクタ２００の下面から落下するため、下面に設けられたエアバッグ１０６を先頭としてプロジェクタ２００は落下する。
よって、プロジェクタ２００の落下点が硬質な床であったとしても、プロジェクタ２００の個体が直接床に当たることはなく、プロジェクタ２００の地面側の面を覆い隠す大きさの緩衝部材であるエアバッグ１０６が床に当たり、落下時の衝撃はエアバッグ１０６により吸収される。
従って、エアバッグ装置１００によれば、天吊り式のプロジェクタ２００が落下した場合であっても、プロジェクタ２００の破損を確実に防止することができる。
【００４２】
（２）エアバッグ１０６の膨張には、インフレータ１０１のボンベ１１４に充填されている不活性ガスが用いられている。
不活性ガスは、プロジェクタ２００の電子回路などの劣化を誘発する恐れはない。
従って、エアバッグ装置１００によれば、ガスが放散された場合であっても、プロジェクタ２００のガスによる劣化を招くことはない。
【００４３】
（３）ロックＳＷ１０８がオン状態として押し込まれると、ロックＳＷの端部１０８ｔは、キー部材１０２の凸部１２５に勘合され、キー部材１０２を機構的にロックする。
従って、エアバッグ装置１００によれば、プロジェクタ２００の設置時などにおける、エアバッグ１０６の誤作動を防止することができる。
【００４４】
（４）設置された高さ約３ｍの天井ｔｅから、プロジェクタ２００が自由落下を始めた場合、エアバッグ１０６が膨張するまでに要する時間は０．２秒以内である。
０．２秒を距離に換算すると約０．２ｍとなる、これに天井ｔｅからのプロジェクタ２００の吊り下げ長さを０．４ｍ、誤差分を０．１ｍ加算すると、合計で０．７ｍとなる。
これは、プロジェクタ２００が落下を始めると、天井ｔｅから約０．７ｍの位置で、エアバッグ１０６は、図４に示す態様となることを示している。
さらにエアバッグ１０６の厚さ約０．３ｍを加えると、天井ｔｅから約１．０ｍとなり、床面まで約２．０ｍの余裕を持った段階で、エアバッグ１０６の準備は整っていることになる。
従って、エアバッグ装置１００によれば、天吊り式のプロジェクタ２００が落下した場合であっても、プロジェクタ２００の破損を確実に防止することができる。
【００４５】
（５）設置された高さ約３ｍの天井ｔｅから、プロジェクタ２００が自由落下を始めた場合、床面に達するまでに要する時間は０．８秒以内である。
この構成によれば、膨張したエアバッグ１０６は、５秒間程度、膨張した状態を維持することから、床面に到達した後も４秒以上の間、膨張を継続する。
よって、エアバッグ１０６は落下時の衝撃を吸収した後も、プロジェクタ２００を支えながら徐々に萎んで行くことから、プロジェクタ２００がエアバッグ１０６を介して床面へ到達する際の衝撃も、確実に緩和することができる。
従って、エアバッグ装置１００によれば、天吊り式のプロジェクタ２００が落下した場合であっても、プロジェクタ２００の破損を確実に防止することができる。
さらに、天井ｔｅの高さが、１０ｍであったとしても、プロジェクタ２００が落下に要する時間は１．５秒程度であることから、大会議室や、小ホールなどのように天井が高い場所に設置された場合であっても、落下時の衝撃を緩衝することができる。
【００４６】
（６）ケース１１０は、プロジェクタ２００の下面の全ての辺を包み込む柔軟性のある半硬質のポリウレタンフォームにより構成され、肉厚の部分を中心にして内部に複数の空気層１１１が設けられていることから、エアバッグ１０６の不具合などにより、プロジェクタ２００の落下時にエアバッグ１０６が十分に膨張せず、プロジェクタ２００の下面を覆い尽くせなかった場合であっても、エアバッグ装置１００の柔軟なケース１１０が床面に当たる。
プロジェクタ２００における底辺の辺の部分は、落下時に最初に床に当たる部位であるため、当該部位を柔軟な部材で包み込んでいることにより、プロジェクタ２００の損傷は大幅に低減される。
従って、エアバッグ装置１００によれば、エアバッグ装置１００が十分に機能しない場合であっても、プロジェクタ２００の破損を軽減することができる。
【００４７】
（７）プロジェクタ２００が落下を始めると、キー部材１０２は、一端が天井ｔｅに固定されている紐部材１０３により引っ張られる。キー部材１０２がバルブ部１１５から抜けると、ストッパーが外れた穿孔部材１１６は、開放されたバネ１１７の押し上げ力により針状部１２０を、ボンベ１１４の封板１２１に突き刺す。これにより、ボンベ１１４の封板１２１に穴が空き、不活性ガスが放出されるとともに、流路１２２を通って、エアバッグ１０６に充填され、エアバッグ１０６が膨張する。
このようにエアバッグ装置１００は、電力を必要としない機械式の構成であるため、電力が供給されていなくても、エアバッグ１０６を作動させることができる。
従って、エアバッグ装置１００によれば、電力が供給されていない状態であっても、落下時におけるプロジェクタ２００の破損を確実に防止することができる。
【００４８】
（８）穿孔部材１１６のボール部１１８と勘合する部分の凸形状１１９により、キー部材１０２が抜ける際には、所定の荷重が必要である。
これによりプロジェクタ２００の設置時などに誤って紐部材に触れたり、軽く引っ張るようなこと、または、軽度の地震による振動が加わった場合であっても、エアバッグ１０６は作動しないが、数ｋｇの重量があるプロジェクタが落下し始めたときには、所定の荷重を超える引っ張り力が掛かるため、エアバッグ１０６は作動する。
従って、エアバッグ装置１００によれば、誤動作を防ぐとともに、落下を確実に検出することができる。
【００４９】
（９）エアバッグ装置１００は、ケース１１０、補強部材１１２、固定ネジ１１３などにより、プロジェクタ２００への装着および脱着が自在であることから、プロジェクタ２００を天吊りする必要が発生した場合にエアバッグ装置１００を装着すれば良いので、合理的である。
従って、エアバッグ装置１００によれば、プロジェクタ２００の設置態様に応じて、必要なときに必要とされる機能を合理的に実現することができる。
【００５０】
（実施形態２）
《プロジェクタの概要》
図５は、本発明の実施形態２におけるプロジェクタの主要部の断面図である。ここでは、プロジェクタ３００の概略構成について説明する。
なお、以下の本実施形態に関する説明において、実施形態１のプロジェクタ２００およびエアバッグ装置１００と同一の構成部位については同一の符号を用い、重複する説明は省略する。
プロジェクタ３００は、エアバッグを内蔵した天吊り用途に設計されたプロジェクタである。プロジェクタ３００は、天吊り金具２０１により、天井ｔｅに設置されている。
【００５１】
プロジェクタ３００は、大別すると、エアバッグ装置４００と、プロジェクタ部３５０とから構成されている。エアバッグ装置４００は、プロジェクタ部３５０と一体となっている。
エアバッグ装置４００は、インフレータ１０１、回路部４０３、エアバッグ４０６、フタ１０７、ロックＳＷ１０８、ケース４２０、補強部材４１４などから構成されている。
インフレータ１０１は、実施形態１のインフレータと同様のものである。本実施形態においては、インフレータ１０１の設置場所が、プロジェクタ部３５０下面の中央部分となっている。
【００５２】
回路部４０３は、回路を駆動するための電力を供給する電源部や、プロジェクタ３００が落下していることを検出する落下検出センサを含む落下検出部など、複数の電子回路などにより構成されている。
エアバッグ４０６は、収納場所と、膨張時の形状のみ実施形態１のエアバッグ１０６と異なる。エアバッグ４０６は、インフレータ１０１の下側に折り畳んだ状態で収納されている。また、エアバッグ４０６の膨張時の形状は、前記収納場所から膨張したときに、プロジェクタ３００の下面を覆い隠し、さらに衝撃を吸収するための十分な厚さとなるように設計されている。
フタ１０７は、実施形態１のインフレータ１０１と同様のものである。本実施形態においては、フタ１０７の設置場所が、プロジェクタ部３５０下面の中央部分となっている。
【００５３】
ロック機構としてのロックＳＷ１０８は、実施形態１のロックＳＷ１０８と同様のものである。本実施形態においては、ロックＳＷ１０８の設置場所が、プロジェクタ部３５０下面の中央近傍となっている。
ケース４２０は、プロジェクタ部３５０の下面の全ての辺を包み込んだ柔軟な材料で構成されている。柔軟な材料は、例えば、柔軟性に富む半硬質のポリウレタンフォームである。ケース４２０の内部は、肉厚の部分を中心にして複数の空気層４１５が設けられている。
補強部材４１４は、プロジェクタ部３５０と、ケース４２０との結合を強固にするための「コ」の字状、または「Ｌ」字状に加工されたステンレスなどの硬質の金属部材である。補強部材４１４は、ケース４２０と、インサート成型法などにより一体として形成され、プロジェクタ部３５０の個体にしっかりと勘合している。
【００５４】
《プロジェクタ部の構成》
図６は、プロジェクタ３００の概略構成を示したブロック図である。ここでは、図６を用いて、プロジェクタ部３５０および、エアバッグ装置４００の構成について説明する。
プロジェクタ部３５０は、内蔵するランプが放射した光を、赤色光、青色光、緑色光の光の３原色成分に分離し、色光ごとに各色光用の光変調素子である液晶ライトバルブ（いずれも図示せず）により映像信号に応じて変調し、再度合成したフルカラーの変調光を拡大して映像を投写する、「液晶３板式プロジェクタ」としての機能を備えている。
プロジェクタ部３５０は、ランプ３５１、光学部３５２、投写レンズ３５３、リモコン３５４、操作受付け部３５５、制御部３５６、記憶部３５８、映像信号処理部３５９、液晶パネル駆動部３６０、ランプ駆動部３６１、メイン電源部３６２などから構成されている。
【００５５】
ランプ３５１は、プロジェクタ３００が投写する映像の光源であり、高圧水銀ランプや、メタルハライドランプなどの高輝度が得られる放電式のランプである。
光学部３５２は、ランプ３５１が放射する光の輝度分布を略均一化するインテグレータ光学系と、輝度分布の安定した光を光の３原色である赤色、緑色、青色の各色光成分に分離して各色光用の液晶ライトバルブに供給する分離光学系と、液晶ライトバルブにて各色光毎に映像信号に応じて変調された各色光を、再度合成する合成光学系（いずれも図示せず）とを含んで構成されている。
投写レンズ３５３は、ズームレンズであり、合成光学系から射出されるフルカラーで略平行な変調光を拡大して、スクリーンＳＣにフルカラー映像を投写する。
リモコン３５４は、リモコンであり、プロジェクタ３００を操作するための複数の操作用ボタンを備えている。複数の操作用ボタンには、エアバッグ装置４００による落下検出に伴うエアバッグ機能を電気的に停止するための「エアバッグ機能停止ボタン」も含まれている。例えば、プロジェクタ３００の投写方向の調整を行う場合、当該ボタンにより、エアバッグ装置４００の回路部４０３の機能を一時的に停止することが可能である。
【００５６】
操作受付け部３５５は、リモコン３５４への操作がなされると、操作を受付け、制御部３５６へ各種動作のトリガとなる操作信号を送る。操作信号には、プロジェクタ３００を起動するための起動信号などが含まれる。
制御部３５６は、ＣＰＵ（Central Processing Unit）であり、バスラインＢusを介して、各部との信号のやり取りを行う。
記憶部３５８は、例えば、フラッシュメモリなどデータの書き換えが可能な不揮発性のメモリ、または、マスクＲＯＭなどにより構成されている。記憶部３５８には、プロジェクタ３００の動作を指示および制御するための様々な制御プログラムなどが記憶されている。
【００５７】
映像信号処理部３５９は、映像信号コンバータ（図示せず）を含んで構成されている。映像信号コンバータは、外部の映像信号供給装置５０１から供給されるアナログ映像信号をＡ／Ｄ変換し、デジタル信号とする。これは、映像信号に各種の映像信号処理を施すために行なわれる。
映像信号処理部３５９は、デジタル信号に変換された映像信号を、液晶ライトバルブで表示するのに適した信号とするために、映像データをフレームメモリ（図示せず）に書き込み、所定の条件で読み出すなどの映像信号処理を施した後、再度アナログ映像信号に変換してから出力する。映像信号処理には、映像信号にて表される映像を拡大および縮小することにより液晶ライトバルブの持つ解像度に合わせるスケーリング処理や、映像信号の有する階調値を液晶ライトバルブで表示するのに適した階調値に変換するγ補正処理などが含まれている。
【００５８】
液晶パネル駆動部３６０は、液晶ライトバルブに映像変換処理された映像信号と、駆動電圧などを供給し、液晶ライトバルブに映像を写し出す。
ランプ駆動部３６１は、メイン電源部３６２からの電力供給を受け、ランプ３５１を点灯させるために高電圧を発生して放電経路を形成するイグナイタ回路と、点灯後の安定した点灯状態を維持するためのバラスト回路（いずれも図示せず）とを含んで構成されている。
メイン電源部３６２は、外部電源５０２からの交流電力をプラグから導き、内蔵するＡＣ／ＤＣ変換部（いずれも図示せず）にて変圧、整流および平滑するなどの処理を施すことにより安定化させた直流電圧をエアバッグ装置４００のＡＢ（エアバッグ）電源部４０４を含むプロジェクタ３００の各部に供給する。
【００５９】
《エアバッグ装置の回路構成》
エアバッグ装置４００の回路部４０３は、ＡＢ電源部４０４、落下検出部４０５、ＡＢ駆動部４０８などから構成されている。
ＡＢ電源部４０４は、例えば、充電式のリチウムイオン電池であり、メイン電源部３６２から供給された電力を蓄え、プロジェクタ部３５０が停止状態であっても、蓄えた電力を回路部４０３の各部に供給する。
【００６０】
落下検出部４０５は、ＭＣＵ（Microcontoller Unit）であり、記憶部およびＡ／Ｄコンバータ（いずれも図示せず）を内蔵している。記憶部には、落下検出センサ４０７からの検出信号レベルにより、プロジェクタ３００が落下しているかどうか見極めるために用いるＬＵＴ（Look Up Table）や、落下が検出された場合に、ＡＢ駆動部４０８を駆動させるＡＢ作動プログラムなどが記憶されている。Ａ／Ｄコンバータの入力ポートには、落下検出センサ４０７が接続されている。
また、落下検出部４０５と、制御部３５６との通信ライン４０９が確保されているため、例えば、リモコン３５４の「エアバッグ機能停止ボタン」が押されると、制御部３５６からの停止信号に従い、ＡＢ作動プログラムの動作を停止する。
落下検出センサ４０７には、例えば、シリコン結晶を異方性エッチング加工した半導体式の加速度センサが用いられている。落下検出センサ４０７は、落下していることを示す加速度を検出すると、検出信号を落下検出部４０５に送る。
【００６１】
図７は、ＡＢ駆動部周辺の詳細図である。
駆動部としてのＡＢ駆動部４０８は、サーボモータ４１０と、複数のピニオン４１１、キー部材４１２などから構成されている。
キー部材４１２のインフレータ１０１に挿入されるボール部１１８、およびロックＳＷ１０８の端部１０８ｔと勘合する凸部１２５などの構成および機能は、実施形態１のキー部材１０２と同様であるが、ボール部１１８の他端には、ピニオン４１１と噛み合うラック部４１３が設けられている。
ＡＢ駆動部４０８は、落下検出部４０５から駆動信号が入力すると、サーボモータ４１０を駆動し、その駆動力を複数のピニオン４１１によりラック部４１３に伝え、キー部材４１２を、バルブ部１１５から抜き取る。
なお、インフレータ１０１のボンベ１１４、バルブ部１１５の構成および機能も、実施形態１での説明と同様である。また、ロックＳＷ１０８が押し込まれると、ロックＳＷの端部１０８ｔが、キー部材４１２の凸部１２５に勘合されることなども、実施形態１での説明と同様である。
【００６２】
《エアバッグ装置の作動の流れ》
図８は、エアバッグ装置の作動の流れを示したフローチャートである。ここでは、図８を中心に、適宜、図５〜７を交えてプロジェクタ３００の落下に伴う、エアバッグ装置４００の作動の流れについて説明する。
プロジェクタ３００は、図５に示すように天井ｔｅに設置されている。ここで、例えば、天吊り金具２０１の取り付け状態が甘かったことに起因して、プロジェクタ３００が落下する状況を想定する。
プロジェクタ３００には、電力が供給されていないが、エアバッグ装置４００は、ＡＢ電源部４０４が蓄電した電力により動作し、常時ＡＢ作動プログラムにより落下を検出している。
【００６３】
ステップＳ１では、落下検出部４０５は、プロジェクタ部３５０の制御部３５６から、エアバッグ作動の停止信号を受信したか確認する。停止信号を受信したか、既に停止フラグが立っている場合は、処理を終了する。停止信号を受信していない場合、ステップＳ２へ進む。
ステップＳ２では、落下検出部４０５は、落下検出センサ４０７からの検出信号に基づきプロジェクタ３００の落下を検出する。プロジェクタ３００が落下していることを検出した場合は、ステップＳ３へ進む。落下が検出されなかった場合は、落下検出を継続する。
ステップＳ３では、落下検出部４０５は、プロジェクタ３００が落下していることが検出されたことから、ＡＢ駆動部４０８に駆動信号を送信する。
ステップＳ４では、ＡＢ駆動部４０８は、駆動信号によりサーボモータ４１０を回転する。サーボモータ４１０の回転は、複数のピニオン４１１により伝達され、ラック４１３により直線運動に変換されて、キー部材４１２をバルブ部１１５から抜き取る。
これにより、穿孔部材１１６は、開放されたバネ１１７の押し上げ力により針状部１２０をボンベ１１４の封板１２１に突き刺し、ボンベ１１４の封板１２１に穴が空き、不活性ガスが放出されるとともに、流路１２２を通って、エアバッグ４０６に充填される。
【００６４】
エアバッグ４０６が膨張したときの態様は、図４に示されるエアバッグ装置１００の態様と略同様である。エアバッグ装置４００の場合、エアバッグ装置１００と比べて、エアバッグ４０６の位置がプロジェクタ本体の中央付近にあるため、より均一にプロジェクタ３００の地面側の面を覆い隠すように膨張する。
また、エアバッグ４０６が膨張し、萎むまでの態様および時間については、実施形態１でのエアバッグ１０６の説明と同様である。
また、ロックＳＷ１０８が押し込まれた状態で、前記ステップが実行された場合、ステップＳ４では、キー部材４１２がロックされていて動かないため、キー部材４１２を抜き取ることができず、エアバッグは作動しない。
【００６５】
上述した通り、本実施形態によれば実施形態１における効果（２）〜（５）に加えて、以下の効果が得られる。
（１）落下検出部４０５は、落下検出センサ４０７からの検出信号に基づきプロジェクタ３００が落下していることを検出すると、ＡＢ駆動部４０８により、キー部材４１２をバルブ部１１５から抜き取り、エアバッグ４０６を膨張させる。
さらに、エアバッグ４０６は、膨張時には、プロジェクタ３００の下面を覆い隠す大きさを有していることから、プロジェクタ３００は、膨張したエアバッグ４０６を先頭にして落下する。
よって、プロジェクタ３００の落下点が硬質な床であったとしても、プロジェクタ３００の個体が直接床に当たることはなく、プロジェクタ３００の地面側の面を覆い隠す大きさの緩衝部材であるエアバッグ４０６が床に当たり、落下時の衝撃はエアバッグ４０６により吸収される。
従って、プロジェクタ３００によれば、天吊り式のプロジェクタ３００が落下した場合であっても、プロジェクタ３００の破損を確実に防止することができる。
【００６６】
（２）エアバッグ装置４００は、プロジェクタ部３５０と一体となっていることから、プロジェクタ３００を天井ｔｅに設置するだけで、簡便にエアバッグ装置４００の機能を得ることができる。
従って、プロジェクタ３００によれば、エアバッグ装置４００の機能を簡便に得ることができるとともに、落下時のプロジェクタ３００の損傷を防ぐことができる。
【００６７】
（３）プロジェクタ３００は、プロジェクタ部３５０への「エアバッグ機能停止ボタン」によるエアバッグ装置４００の機能停止、およびロックＳＷ１０８による機構的なエアバッグ装置４００の機能停止という、２つの安全機能を備えている。
よって、万一、片方をオンし忘れた場合であっても、もう一方により確実にエアバッグ装置４００の機能を停止することができる。
従って、プロジェクタ３００は、エアバッグ装置４００の機能を停止させるための２つの安全機能により、より安全性が高い。
【００６８】
（４）ケース４２０は、プロジェクタ部３５０の下面の全ての辺を包み込んだ柔軟な材料で構成されていることから、エアバッグ４０６の不具合などにより、プロジェクタ３００の落下時にエアバッグ４０６が十分に膨張せず、プロジェクタ３００の下面を覆い尽くせなかった場合であっても、エアバッグ装置４００の柔軟なケース４２０が床面に当たる。
プロジェクタ部３５０の下面の辺部分は、落下時に最初に床に当たる部位であるため、当該部位を柔軟な部材で包み込んでいることにより、プロジェクタ３００の損傷は大幅に低減される。
従って、プロジェクタ３００によれば、エアバッグ装置４００が十分に機能しない場合であっても、プロジェクタ３００の破損を軽減することができる。
【００６９】
なお、本発明は上述した実施形態に限定されず、上述した実施形態に種々の変更や改良などを加えることが可能である。変形例を以下に述べる。
【００７０】
（変形例１）
図５および図６を用いて説明する。実施形態２において落下検出センサ４０７（図６）は、加速度センサであるものとして説明したが、これに限定するものではない。
例えば、図５において、天井ｔｅと、天吊り金具２０１とが、密着しているときには、ハイレベルのオン信号を出力し、天井ｔｅと、天吊り金具２０１とが、一定距離以上離れたときには、ローレベルのオフ信号を出力する開閉式の落下検出スイッチを設ける構成であっても良い。
この構成であっても、ローレベルのオフ信号によってプロジェクタが落下していることを検出可能なことから、前記実施形態２と同様の作用効果を得ることができる。
【００７１】
（変形例２）
図３を用いて説明する。前記各実施形態におよび変形例において、インフレータ１０１は、バネ１１７の復元力により、穿孔部材１１６をボンベ１１４の封板１２１に突き刺す構成を有しているが、この構成に限定するものではない。
例えば、インフレータは、バネ１１７および穿孔部材１１６の代わりに、微量の火薬を含んだ起爆剤（イニシエータともいう。図示せず）などを備え、キー部材１０２が抜き取られると、小規模の爆発を起こし、その衝撃波によりボンベ１１４の封板１２１を破る構成であっても良い。
この構成であっても、ボンベ１１４の封板１２１を破り、不活性ガスを発生させることが可能であることから、前記各実施形態と同様の作用効果を得ることができる。
【００７２】
（変形例３）
図６を用いて説明する。前記実施形態２において、プロジェクタ部３５０は、投写映像に、例えば、投写映像の映像ソース名や、プロジェクタ３００を操作するための操作メニューを表示するＯＳＤ（on screen display）機能を備えていても良い。ＯＳＤ機能は、例えば、映像信号処理部３５９内に、映像ソース名や、操作メニュー画面などを記憶した画像メモリを設け、映像信号処理部３５９が当該画像メモリから読み出した画像情報を、映像信号に重畳させることにより実現される。
さらに、例えば、操作メニュー画面にエアバッグ装置４００のオン／オフ選択項目を追加し、また、エアバッグ装置４００の動作状態を「エアバッグ機能動作中」とか、「エアバッグ機能オフ」などのように表す画面を、それぞれ画像メモリに記憶させても良い。
これにより、追加された操作メニュー項目からも、エアバッグ装置４００のオン／オフ選択が可能となり、また、通信ライン４０９からの落下検出部４０５の動作情報により、制御部３５６が、エアバッグ装置４００の動作状態をＯＳＤ表示させることもできる。
また、ロックＳＷ１０８のオンオフ状態を電気信号として検出するスイッチを追加し、当該スイッチの検出信号を制御部３５６に入力することにより、ロックＳＷ１０８のオンオフ状態をＯＳＤ表示しても良い。
これらの構成によれば、視覚情報により、エアバッグ装置４００の操作を容易に行うことができ、さらに、エアバッグ装置４００の動作状態を確認することも可能なプロジェクタ３００を提供することができる。
【００７３】
（変形例４）
前記各実施形態および変形例において、プロジェクタ２００および３００は、光変調素子として３枚の液晶ライトバルブを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。
これらの構成であっても、前記実施形態と同様のエアバッグ装置を装備することが可能であることから、前記実施形態と同様の作用効果を得ることができる。
【００７４】
（変形例５）
前記各実施形態および変形例において、電子機器はプロジェクタであるものとして説明したが、プロジェクタに限定するものではなく、天吊り設置される電子機器であれば良い。
例えば、アンプを内蔵したスピーカ装置や、防犯用の小型のＣＲＴ、または液晶ディスプレイなどであっても良い。これらの電子機器であっても、前記実施形態と同様のエアバッグ装置を装着することが可能であることから、前記実施形態と同様の作用効果を得ることができる。
【図面の簡単な説明】
【００７５】
【図１】実施形態１におけるエアバッグ装置の使用態様図。
【図２】天吊り状態におけるエアバッグ装置の主要部の断面図。
【図３】インフレータ周辺部位の詳細図。
【図４】エアバッグ装置の作動状態の一態様を示す図。
【図５】実施形態２におけるプロジェクタの主要部の断面図。
【図６】プロジェクタの概略構成を示したブロック図。
【図７】実施形態２におけるインフレータ周辺部位の詳細図。
【図８】エアバッグ装置の作動の流れを示すフローチャート。
【符号の説明】
【００７６】
１００…エアバッグ装置、１０１…インフレータ、１０２…落下検出部としてのキー部材、１０３…落下検出部としての紐部材、１０６，４０６…エアバッグ、１０８…ロック機構としてのロックＳＷ、１１４…ボンベ、１１６…穿孔部材、１１７…バネ部材、１２１…封板、２００，３００…電子機器としてのプロジェクタ、２０１…天吊り器具としての天吊り金具、４０５…落下検出部、４０７…落下検出センサ、４０８…駆動部としてのＡＢ駆動部、３５１…光源部としてのランプ、ｔｅ…天井。
【図１】
2006349790.tif 000003
【図２】
2006349790.tif 000004
【図３】
2006349790.tif 000005
【図４】
2006349790.tif 000006
【図５】
2006349790.tif 000007
【図６】
2006349790.tif 000008
【図７】
2006349790.tif 000009
【図８】
2006349790.tif 000010